(57)【特許請求の範囲】
【請求項１】
光源バルブ（４）を装着されたリフレクタ（２２）と、該リフレクタの前面開口部を覆う前面レンズ（２１）とから成る灯体を、ランプハウジング（２０）に取り付けて防振する方法において、
前記ランプハウジングの前面開口部に、リム（２５）を着脱可能に装着するとともに、前記リフレクタの前面開口部の周囲にフランジ状部（２２ａ）を成形し、
前記前面レンズのレンズ脚部（２１ａ）の後端と前記リフレクタのフランジ状部との間にレンズパッキン（２３）を介装し、
前記前面レンズのレンズ脚部（２１ａ）に枠状のリムラバー（２４）を嵌め合わせて、このリムラバーを介して前記ランプハウジングのリム（２５）により、灯体を形成している前面レンズ（２１）を後方に向けて押圧し、
前記ランプハウジングと一体に成形されたリフレクタ支持柱（２０ａ）によって支持される弾性部材である砲弾形キャップラバー（３１）の尖端を前記リフレクタのフランジ状部（２２ａ）に当接せしめて、灯体を形成しているリフレクタが後方へ押圧される力を支承させることにより、前記の灯体を弾性的に支持することを特徴とする、作業灯の灯体防振方法。
【請求項２】
光源バルブ（４）を装着されたリフレクタ（２２）と、該リフレクタの前面開口部を覆う前面レンズ（２１）とによって灯体が構成されており、
前記ランプハウジングの前面開口部にリム（２５）が着脱可能に装着されるとともに、  前記リフレクタの前面開口部の周囲にフランジ状部（２２ａ）が成形されており、
前記前面レンズのレンズ脚部（２１ａ）の後端と前記リフレクタのフランジ状部との間にレンズパッキン（２３）が介装されていて、
前面レンズのレンズ脚部（２１ａ）に枠状のリムラバー（２４）が嵌め合わされていて、  灯体を形成している前面レンズ（２１）が、このリムラバーを介して、ランプハウジングのリム（２５）により後方に向けて押圧され、
かつ、前記ランプハウジングと一体に成形されたリフレクタ支持柱（２０ａ）で支持される弾性部材である砲弾形キャップラバー（３１）の尖端が、前記リフレクタ（２２）のフランジ状部（２２ａ）に当接していて、灯体を形成しているリフレクタが後方へ押圧される力を前記砲弾形キャップラバーで支承することにより、前記の灯体が弾性的に支承されていることを特徴とする、作業灯の灯体防振構造。
【発明の詳細な説明】
【０００１】
【発明の属する技術分野】
本発明は、建設用車両や荷役用車両、および産業用車両に装着して用いられる作業用灯具において、光源バルブとリフレクタと前面レンズとから成る灯体を防振する方法、および同防振構造に関するものである。
【０００２】
【従来の技術】
図５は作業用灯具の従来例を示し、光源バルブとリフレクタと前面レンズとから成る灯体部分がランプハウジングに対して弾性的に支持されている構造部分の垂直断面図である。
図に示したＺはリフレクタ３の光軸であって、光軸上の焦点ｆ付近にフィラメントを位置せしめて光源バルブ４が装着されている。上記リフレクタ３の前面開口部を覆う形に前面レンズ２が配設されている。
作業灯の機能を概要的に述べると、光源バルブ４から出射した立体光束の大半はリフレクタ３に入射し、光軸（矢印Ｚ）とほぼ平行に、図の左方に向けて反射される。上記の平行な反射光束は前面レンズ２によって調光され、所望の配光パターンを形成して投射される。こうした作用のため、図に示した矢印Ｚは概要的な投光方向を示している。本発明において「前」，「後」の呼称は、上記投光方向を表す意であって、矢印Ｚ方向を前と呼び、その反対方向を後と呼ぶことにする。
上述の作用から理解されるように、作業灯における基本的光学部材は光源バルブ４と、リフレクタ３と、前面レンズ２とである。説明の便宜上、光源バルブとリフレクタと前面レンズとより成る構造部分を、その付属部材を含めて灯体と呼ぶことにする。
【０００３】
車両類に搭載された作業灯は、該車両類の走行中に激しい振動を受け、また、該車両類に搭載されている作業装置の作動中にも振動を受ける。このため、作業灯においては、「車両類に固定されるランプハウジング」に対して、灯体を防振的（すなわち、弾性的変位を許容して）支持することが重要な技術的課題となる。また、必要に応じて、車体に対してランプハウジングを防振することも併せて工夫される。
本図５に示された従来例においては、リフレクタ３の前面開口部の周囲に形成されたフランジ状部３ａと、前面レンズ２の脚部２ａとの間にレンズパッキン２３が挟みつけられている。前記の光源バルブ４は、リフレクタ３の中央開口部に嵌合され、スプリング機構３４で押しつけられている。本発明においてレンズの脚部とは、レンズを支持することを主たる役目として、該レンズの周辺から投光方向後方に向けて延出している構成部分をいう。
図示の１０は、上記光源バルブ４に給電するためのハーネスであって、コネクタ１１を介してターミナル１２に接続導通され、外部電源に対してスイッチ（共に図示せず）を介して接続される。１７は、前記スプリング機構３４をリフレクタ３にカシメ付けているリベットであって、本図にはその頭部が現われている。
【０００４】
ランプハウジング１の内側面に、光軸Ｚとほぼ平行なリフレクタ支持柱５が、合成樹脂材料によって一体に成形されており、その先端（投光方向に関して前端・以下，紛らわしくない場合は単に前端という）に有頂無底円筒形のキャップラバー６が嵌着されている。上記キャップラバー６の頂面は、前記リフレクタ３のフランジ状部３ａの、投光方向に関して背面側（以下、紛らわしくない場合は単に背面側という）に当接している。
前記のランプハウジング１を車体などの取付対象部材に装着するための構造として、該ランプハウジングの後下方部分に、下方に向けて膨出する球殻状の座１ａが一体に成形され、ステーボルト１３が、ボルト挿通用透孔１ｂに挿通されている。上記ステーボルト１３の頭部は球殻状の座１ａの内部に位置し、該ステーボルト１３のスクリューロッド部はスタンドピース１４および取付対象部材（仮想線で示した）を貫通して、その先端側にナット１５が螺合されている。これにより、ナット１５を緩めるとランプハウジング１が首振り状に回動可能となり、該ナット１５を締めつけるとランプハウジング１の回動が阻止される。１６は、防水用のラバーリングであり、このラバーリング１６はステーボルト１３がランプハウジング１の内部空間内に脱落することを防止する役目も兼ねている。
【０００５】
以上のようにして支持されているランプハウジング１に対して「光源バルブ４を装着されているリフレクタ３と、その前面開口部を覆う前面レンズ２とから成る灯体」が、次のようにして防振的に支持されている。
ジャバラ状（別称べローズ状）のマウンティングラバー７の後端（図において右端）が、ランプハウジング１のフランジ状部１ｃに嵌め合わされるとともに、リヤーリム８で締めつけられている。そして、前記マウンティングラバー７の前端（図において左端）は前面レンズ２のレンズ脚部２ａおよびリフレクタ３のフランジ状部３ａの重ね合わせ部に嵌め合わされるとともに、フロントリム９で締めつけられている。７ａは、マウンティングラバー７の下方部に設けられた水抜孔である。
リフレクタ３のフランジ状部３ａは、マウンティングラバー７の弾性収縮力によって後方（図の右方）に向かう力を受け、キャップラバー６に押圧される。キャップラバー６は上記押圧力によって僅かに圧縮方向に歪みつつ、上記の押圧力を支承する。
このようにして、光源バルブ４とリフレクタ３と前面レンズ２とより成る灯体（詳しくは、レンズパッキン２３およびスプリング機構３４を含む）は、マウンティングラバー７とキャップラバー６とによって弾性的に支持されるとともに、フランジ状部３ａとキャップラバー６との間の摩擦抵抗によって振動を減衰せしめられる。
【０００６】
【発明が解決しようとする課題】
図５に示した先行技術に係る作業灯は、その灯体部分を弾性的に支持されるとともに摩擦抵抗を与えられているので優れた防振性能を有している。しかし乍ら、望むらくは更に次のような改善の余地が有る。
（イ）光源バルブ４は消耗性の部品であって、断線した時や定期整備の際に取り外して新品と交換しなければならないが、従来例の作業灯において光源バルブ４を着脱交換しようとすると、フロントリム９もしくはリヤーリム８を取り外して、マウンティングラバー７の嵌め合わせ部を離脱させなければならない（この図５の例では、リヤーリム８を取り外して、マウンティングラバー７をランプハウジング１から取り外し、灯体を構成している前面レンズ２とリフレクタ３との結合を分解しないままの状態で、該リフレクタ３に装着されているスプリング機構３４の係合部を外して光源バルブ４を着脱することになる）。
上述の光源バルブ交換作業は、専門の整備技術員にとっては別段難しいものではないが、一般の作業用車両オペレータにとっては容易でない。このため、交換用の光源バルブが予備品として添付されていても、光源バルブ断線時には作業を中断して整備担当技術者の来援を求めなければならなくなる。
こうした事情から、一般のオペレータが汎用工具（例えばドライバ）を用いて迅速，容易に光源バルブを交換できるように改良することが望まれる。
（ロ）マウンティングラバー７は、リフレクタ３および前面レンズ２から成る灯体を弾性的に支持しなければならないので、相当の大きさと重畳とを有しており、しかも防振性能を発揮するために適当な物性を必要とするので製造コストが高い。
こうした事情から、大形大重量のゴム弾性部材を必要としないように改良することが望まれる。
（ハ）上記のマウンティングラバー７は、その構造上、耐えず風雨に曝されるとともに直射日光を受けるので、経時的劣化に関する環境条件は非常に不利（劣化し易い）である。劣化進行を決定する大要因は環境条件とゴム材質と発生応力とであるから一概には言えないが、環境条件の不利を材質でカバーしようとすると材料コストが一層上昇し、材料コストを下げようとすると耐久性の低下を免れ難い。
こうした事情から、防振ゴム部材が直接的には風雨に曝されず、かつ、その大部分が直射日光を受けないような改良が望まれる。
（ニ）有頂無底筒状のキャップラバー６は、耐振性に関して相当な効果を果たしているが、その撓み代を大きく取ることができないので作用効果に限界が有る。すなわち、大きく撓み得るようにゴム材質を柔らかくするとヘタリ易くなって耐久性が悪くなり、ヘタリを生じ難いようにゴム材質を硬くすると防振性が落ちる。
こうした事情から、キャップラバーがヘタリを生じ難く、しかも防振性か悪くならないような改良が望まれる。
【０００７】
本発明は以上に述べた要望に応えるために為されたものであって、製造コストが安く、かつ耐久性に優れた、作業灯の防振方法、および作業灯の防振構造を提供することを目的とする。
【０００８】
【課題を解決するための手段】
以上に説明した目的を達成するために創作した本発明の基本的な原理を、その実施形態に対応する図１を参照して略述すると、
光源バルブ４を装着されたリフレクタ２２のフランジ状部２２ａと、前面レンズ２１のレンズ脚部２１ａとはレンズパッキン２３（本例ではブチレンゴム系の接着剤）を介して密着し、灯体を形成している。
上記灯体は、投光方向後方から砲弾形キャップラバー３１の尖端部によって投光方向前方（図において左方）へ押され、かつ上記の灯体はリムラバー２４を介して、リム２５によって後方へ押されている。
詳しくは、「レンズパッキン２３を介して対向している、リフレクタ２２のフランジ状部２２ａと前面レンズ２１のレンズ脚部２１ａ」が砲弾形キャップラバー３１の尖端部によって投光方向前方へ押されるとともに、
リム２５により、リムラバー２４を介して投光方向後方へ押されている。
すなわち、灯体は双方のラバー部材によって前後方向に挟みつけられている。
上記のリム２５は、リム取付ネジ２６によってランプハウジング１に対して着脱容易に取り付けられている。
前記のリム取付ネジ２６を回して抜き取るとリム２５が取り外されるので、光源バルブ４の交換をドライバ１本で行なうことができ、
レンズパッキン２３およびリムラバー２４は小形軽量の部材であるから、防振用ゴムの材料コストは低廉であり、
レンズパッキン２３およびリムラバー２４は、直接的に風雨に曝されたり直射日光を受けたりしないので、経時的劣化に関する環境条件が悪くないので、特殊材質でなくても耐久性が良く、
砲弾形キャップラバー３１が砲弾形の尖端部を灯体（詳しくは、灯体を構成しているリフレクタ２２のフランジ状部２２ａの背面）に当接せしめているので、ヘタらないように比較的硬質のゴム材料で構成しても、防振に必要な撓み代（例えば０．２ミリメートル）を得ることができて、防振性と耐久性とを両立せしめることができる。
【０００９】
さらに、ランプハウジング１を支持しているステー２７とステーボルト２８との間に座金状のゴム材料（ステーラバー２９の座金状部２９ａ）を介装すると、防振性能が一層良くなる。
その上、上記座金状ゴム部材と一体に成形されたジャバラ状のゴム部材（ステーラバー２９のジャバラ状部２９ｂ）で前記ステー２７を含む取付構造部の周囲を覆うと、該取付構造部の機械的な保護と外観の改善に有効である。
【００１０】
以上に説明した原理に基づいて請求項１の発明方法は、
（図１参照）  光源バルブ（４）を装着されたリフレクタ（２２）と、該リフレクタの前面開口部を覆う前面レンズ（２１）とから成る灯体を、ランプハウジング（２０）に取り付けて防振する方法において、
前記ランプハウジングの前面開口部に、リム（２５）を着脱可能に装着するとともに、前記リフレクタの前面開口部の周囲にフランジ状部（２２ａ）を成形し、
前記前面レンズのレンズ脚部（２１ａ）の後端と前記リフレクタのフランジ状部との間にレンズパッキン（２３）を介装し、
前記前面レンズのレンズ脚部（２１ａ）に枠状のリムラバー（２４）を嵌め合わせて、このリムラバーを介して前記ランプハウジングのリム（２５）により、灯体を形成している前面レンズ（２１）を後方に向けて押圧し、
前記ランプハウジングと一体に成形されたリフレクタ支持柱（２０ａ）によって支持される弾性部材である砲弾形キャップラバー（３１）の尖端を前記リフレクタのフランジ状部（２２ａ）に当接せしめて、灯体を形成しているリフレクタが後方へ押圧される力を支承させることにより、前記の灯体を弾性的に支持することを特徴とする。
以上に説明した請求項１の発明方法によると、「光源バルブを装着されたリフレクタと前面レンズとから成る灯体」が、砲弾形キャップラバーとリムとによって前後方向に挟みつけられて弾性的に（弾性的変位を許容されて）支持される。
そして、上記のリムはランプハウジングに対して着脱可能に装着されているので、該リムをランプハウジングから取り外すと、前記の灯体は挟持を解放されてランプハウジングの内部空間から取り出すことができるようになる。
灯体をランプハウジングから取り出せば、該灯体を構成しているリフレクタに対して光源バルブを脱着交換することができる。
光源バルブを交換した灯体をランプハウジング内に収めて、リムラバーを介してリムで押さえつけるとともに、該リムをランプハウジングに装着すると、前記の灯体がランプハウジングに対して弾性的に位置決め、固定される。
このようにして、作業灯光源バルブの脱着・交換を迅速に、かつ容易に行なうことができる。
前記のリムラバーは、前面レンズの脚部を挟みつけて緩衝的に支持する部材であって、大形大重量の部材ではないから、材料コストが廉価である。
前記のリムラバーは灯体とランプハウジング用リムとの間に挟みつけられるので、風雨に曝されることも無く直射日光を受けることも無い。このため、リムラバーの経時的な劣化に関する環境条件が良く、早期劣化する虞れが無い。
前記の砲弾形キャップラバーは、従来例における有頂無底筒状のキャップラバーと異なり、尖端部をリフレクタのフランジ状部に当接せしめて押圧力を支承する。
このため、ヘタリを生じない程度の硬さのゴム材料を用いても、上記の尖端部が緩衝機能を果たし得る程度に弾性変形することができ、防振性と耐久性とを両立せしめることができる。
【００１１】
【００１２】
請求項２の発明の灯体防振構造は、
（図１参照）、
光源バルブ（４）を装着されたリフレクタ（２２）と、該リフレクタの前面開口部を覆う前面レンズ（２１）とによって灯体が構成されており、
前記ランプハウジングの前面開口部にリム（２５）が着脱可能に装着されるとともに、前記リフレクタの前面開口部の周囲にフランジ状部（２２ａ）が成形されており、
前記前面レンズのレンズ脚部（２１ａ）の後端と前記リフレクタのフランジ状部との間にレンズパッキン（２３）が介装されていて、
前面レンズのレンズ脚部（２１ａ）に枠状のリムラバー（２４）が嵌め合わされていて、  灯体を形成している前面レンズ（２１）が、このリムラバーを介して、ランプハウジングのリム（２５）により後方に向けて押圧され、
かつ、前記のランプハウジングと一体に成形されたリフレクタ支持柱（２０ａ）で支持される弾性部材である砲弾形キャップラバー（３１）の尖端が、前記リフレクタ（２２）のフランジ状部（２２ａ）に当接していて、灯体を形成しているリフレクタが後方へ押圧される力を前記の砲弾形キャップラバーで支承することにより、前記の灯体が弾性的に支承されていることを特徴とする。
以上に説明した請求項２の防振構造によると、
灯体の前面側に弾性部材であるリムラバーが配設され、該灯体の背面側に弾性部材である砲弾形キャップラバーが配設されており、かつ、上記双方の弾性部材を介して、後方側は剛性部材であるリフレクタ支持柱によって支持されるとともに、前方側は剛性部材であるリムによって支持される。
上述のようにして、１対の剛性部材により、それぞれ弾性部材（砲弾形キャップラバーとリムラバーと）を介して灯体が挟み付けられるので、該灯体は、弾性部材の撓みによる僅小の変位を許容して固定的に支持される。
すなわち、防振性を付与して強固に支持されるので、ランプハウジングが激しく振動しても、その振動が灯体の光源バルブに伝播する途中で著しく減衰せしめる。これにより、作業灯を構成している部材のうちで最も耐振性に乏しい光源バルブが振動から保護され、優れた耐久性が得られる。
灯体は上述のように僅少の変位を許容して緩衝されているが、マクロには剛性部材であるリフレクタ支持柱とリムとによって挟持されているので、激しい振動を受けても光軸方向が変化しない。すなわち主投光方向が変化してしまう虞れが無い。
【００１３】
前記のリムがランプハウジング前面開口部の縁付近に対して着脱可能であるから、該リムをランプハウジングから取り外して灯体の挟持を解き、該灯体をランプハウジング内から取り出すことが出来る。灯体をランプハウジングから取り出せば、リフレクタに装着されている光源バルブを迅速，容易に着脱，交換することができる。
前記のレンズパッキンおよびリムラバーは、それぞれ「剛性部材の間に挟みつけられて緩衝機能を果たす部材」であって、小形軽量の部材であるから、所望の物性を有するゴム材料を用いても材料コストは低廉である。
そして、前記のレンズパッキンおよびリムラバーは、リフレクタとリムとの間に配設されているので直接的に風雨に曝されることが無く、また直射日光を受けることも無いので、経時的劣化に関する環境条件が良く、早期に劣化する虞れが無い。
さらに、前記の砲弾形キャップラバーは、従来例におけるがごとく平面部を灯体（詳しくはリフレクタのフランジ状部）に当接せしめる構造ではなく、尖端部を灯体に当接せしめて該灯体を支持する構造であるから、該尖端部が押し潰される形に弾性変形すると、変形に伴って接触面積が急激に増加する。接触面積が増加すると、支承している全圧力が大きくても単位面積あたりの押圧力分担が小さくなって、材料力学的な歪み量が抑制される。従って、該砲弾形キャップラバーにヘタリ変形を生じる虞れ無く優れた防振機能が得られる。
【００１４】
【００１５】
【発明の実施の形態】
図１は、本発明に係る作業灯の灯体防振方法を実施するために構成した灯体防振構造の１実施形態を示し、搭載対象車両のブラケットに装着した状態を描いた垂直断面図である。
図示の２０は、合成樹脂材料で成形されたランプハウジングであって、その内周面から投光方向前方（本図において左方）に向けてリフレクタ支持柱２０ａが一体成形されている。
上記ランプハウジング２０の内部空間に位置せしめて、板金プレス加工されたリフレクタ２２が配置されており、矢印Ｚは光軸、矢の向きは主投光方向を示している。上記リフレクタ２２の前面開口部の周囲にはフランジ状部２２ａが成形されている。
前面レンズ２１のレンズ脚部２１ａの後端と前記リフレクタのフランジ状部２２ａとの間にレンズパッキン２３が介装されている。
本実施形態においては、レンズ脚部２１ａをフランジ状部２２ａに対してブチレンゴム系接着剤で貼着してレンズパッキン２３を構成した。
本実施形態におけるがごとく、光源バルブ４をリフレクタ２２の背後から着脱し得るようになっていて、該リフレクタ２２と前面レンズ２１とが接着されていて容易に離脱できなくても、灯体をランプハウジングから取り出せれば光源バルブの着脱交換が可能な場合には、前述のようにブチレンゴム系接着剤で接着することによってレンズパッキン２３を構成することが好適である。
【００１６】
先に説明したリフレクタ支持柱２０ａの前端に砲弾形キャップラバー３１が装着されている。
この砲弾形のキャップラバーを、「中心線の周りに直線を回転させて得られる回転体」である円錐形に構成することもできるが、本実施形態においては、「中心線の周りに、該中心線に向かって凹なる曲線を回転させて得られる回転体」で構成した。この砲弾形キャップラバー３１の尖端を投光方向前方（図において左方）に向けて、前記リフレクタ支持柱２０ａに嵌着し、上記の尖端をリフレクタ２２のフランジ状部２２ａに当接せしめて、灯体が後方へ押圧される力を支承させる。このため、砲弾形キャップラバー３１の尖端は弾性的に変形して、フランジ状部２２ａの背面に対して、比較的小さい面積で面接触する。
本発明において砲弾形とは、回転体もしくはこれに類似した形状の尖端部を有し、該尖端部は円錐面と半球面との中間をなす凸曲面であるような形状をいう。ただし、砲弾形の尖端部の形状範囲の両極端として円錐面もしくは半球面である場合を含む。
【００１７】
前記前面レンズ２１のレンズ脚部２１ａに枠状のリムラバー２４を嵌め合わせて、このリムラバー２４を介してランプハウジングのリム２５により、該前面レンズ２１を後方に向けて押圧し、該リム２５をランプハウジング２０の前面開口部の周囲の縁に当接せしめて、リム取付ネジ２６によって着脱可能に取り付けてある。
図２は、前掲の図１に垂直断面を示した実施形態に係る灯体支持構造を備えた作業灯を、その投光方向前方側から見て描いた外観正面図である。ただし、特定メーカーの商標を表示した区域は網目模様を描いてある。
本実施形態においては４本のリム取付ネジ２６によってリム２５をランプハウジング（図２においては隠れている。図１参照）に装着されている。ランプハウジングに対するリムの装着は「迅速・容易に着脱し得ること」が望ましい。しかし「迅速・容易」を定量的に表現することは困難であるから、本発明を実施する場合に欠くことの出来ない要件は、「リムをランプハウジングに対して着脱可能に装着すること」である。
本実施形態の変形例として、ランプハウジングとリムとをクリップによって装着・固定したり、または、ランプハウジングとリムとのそれぞれにオネジとメネジとを形成して螺着したり、バイヨネットを形成して嵌め合わせたりしても、本発明の技術的範囲に属する。
【００１８】
（図１参照）光源バルブ４は、ハーネス１０（部分的に破断して省略して描いてある），コネクタ１１，ターミナル１２を介して外部給電線（仮想線で示す）に接続・導通されている。１７は、図５（従来例）におけると同様のリベットである。
ランプハウジング２０に、ブラケット２０ｂが一体に成形されていて、該ブラケットと別体に構成されたステー２７と回動・固定可能に軸着されている（その構造の詳細については、図４を参照して後述する）。
ステーラバー２９は、座金状部２９ａとジャバラ状部２９ｂとが一体に成形されている。本発明を実施する場合、上記座金状部とジャバラ状部とを別体に成形した後に相互に接着するなどして、一体的な部材としてステーラバーを構成しても良い。
前記のステー２７にはステーボルト２８を挿通するための透孔が設けられている。ステーボルト２８は、上記ステー２７の透孔、前記ステーラバーの座金状部２９ａ、および、当該作業灯の搭載対象機器である車両のブラケット３２に穿たれた透孔に、順次に貫通され、ナット１５を螺合されている。上記のナット１５を締めつけると、車体側ブラケット３２に対して作業灯のランプハウジング２０が、僅小の弾性的変位を許容されて、緩衝機能を備えて固定的に支承される。
【００１９】
上述のように緩衝的に支承されたランプハウジング２０に対して、「光源バルブ４を装着されたリフレクタ２２と前面レンズ２１とから成る灯体」が、リムラバー２４と砲弾形キャップラバー３１とにより、前後に挟みつけられて緩衝的に支持されているので、前記の車体側ブラケット３２が激しく振動しても、その振動が光源バルブ４に伝播するまでの間に、その途中で、ステーラバー２９の座金状部２９ａで減衰せしめられ、
さらに、「砲弾形キャップラバーとリムラバー２４とで挟みつけられた防振機構」によって減衰せしめられるので、「振動によって断線を促進される、耐振性が充分でない光源バルブ」が、車体の振動に対して保護される。
これにより、車両に搭載される作業灯全体としての耐振性が著しく向上する。
前記のブラケット２０ｂとステー２７とが軸着されてなる支持機構部分は、その形状が煩雑であるため、意匠的見地から考察すると外観に現れることは望ましくない。
本実施形態では、この支持機構部分がステーラバー２９のジャバラ状部２９ｂで覆われているので、作業灯としての統一的な外観イメージが整理されて意匠的な統一性が良く、商品価値が高い。
図３は、前掲の図１および図２に示した実施形態に係る作業灯を投光方向の背後から見て描いた背面外観図であって、特定メーカーの商標が表されている部分は網目模様を付してある。
本図３によって理解されるように、ランプハウジング２０とステーボルト２８との接続部はステーラバー２９で覆われて意匠的に統一されたイメージが形成されている。
符号２０ｃを付して示したのはターミナルを覆い隠しているターミナルカバー、２０ｄはカバー取付ネジである。
上記ターミナルカバー２０ｃから下方に垂下している２本の給電線３５は、一部を残して破断し、省略してある。
【００２０】
図４は、前掲の図３に示した実施形態に係る作業灯の下半部について、ステーラバーを切断して描いた背面図である。
前述したブラケット２０ｂおよびステー２７は、それぞれ背面図において二又状をなすように形成されていて、該二又状部のそれぞれを相互に連結ボルト３３で締結し、水平軸Ｈ−Ｈまわりの回動・固定可能に軸着してある。すなわち、前記の連結ボルト３３を緩めるとブラケット２０ｂはステー２７に対して回動可能に軸支された状態となり、該連結ボルト３３を締めつけると回動しないように固定される。
（図１，図４参照）これにより、作業灯の搭載対象機器である車両に対して灯体は、ランプハウジング２０と共に回動・固定操作可能となり、比喩的に言えば首を左右に振ることと、上下に俯仰すること、および回動を固定することが可能になり、かつ、頭部を左右に傾げさせようとする外力に対しては、安定した状態で支持される。このような支持性能を得られたのは、ランプハウジング２０が、ほぼ水平な軸（Ｈ軸）と、ほぼ垂直な軸（本実施形態においてはステーボルト２８）とによって軸支されていることによる。
【００２１】
ランプハウジング１を前述のように首振り回動させたり俯仰回動させたりしたとき、ステーラバー２９のジャバラ状部２９ｂは上記の回動を妨げることなく順応することができ、かつ、連結ボルト３３を緩めたり締めたりする操作を妨げない。
上記ステーラバー２９のジャバラ状部２９ｂは、前述のごとく支持機構部を覆って意匠を整える効果を奏するとともに、該支持機構部分を機械的に保護して、塵埃の付着，異物の噛み込み，外部障害物の衝突などに対して支持機構部を保護する効果も併せて奏する。
先に述べた砲弾形キャップラバー３１は、その尖端部が凸曲面をなしていて、この凸曲面がリフレクタ２２のフランジ状部２２ａに当接する。
比較のため、いま仮に剛体の球が剛体の平面に当接する場合を考えてみると、大きい当接圧力を受けても点接触するが、本実施形態における砲弾形キャップラバー３１は弾性体であるから、比較的小さい当接圧力を受けても僅小面積で面接触する。
【００２２】
さらに、比較のため図５に示した従来例におけるキャップラバー６のように、自由外形が平面である個所をリフレクタのフランジ状部３ａに当接せしめた状態を考えてみると、当接圧が増減しても接触面積は余り変化しないが、本実施形態の砲弾形キャップラバー３１（図１）の尖端部は凸曲面をなしているので（詳しくは、円錐面と半球面との中間的な回転面をなしているので）当接圧力の増加に伴って接触面積が比較的顕著に増大する。このため、該砲弾形キャップラバー３１を比較的軟かいゴム材料で構成しても、見かけの硬度が大きいように作用する（接触面積の増加により、単位面積当たりの圧力分布が小さくても、比較的大きい全圧力を支承することができ、かつ、この場合、当接圧力の作用方向に関する砲弾形キャップラバー３１の圧縮・減寸量が少ない）。このようにして、当接圧力の分散を生じるので、ゴム材料にヘタリと呼ばれる永久変形を生じる虞れが無い。
上述の作用から理解されるように、砲弾形のキャップラバーの尖端部を灯体に当接させると、当接圧力が小さい場合には該キャップラバーが軟質の緩衝材として働き、当接圧力が大きいときは硬質の緩衝材として働く。このように、キャップラバーを砲弾形に形成することによって、ヘタリを防止することと振動を減衰させることとを両立させることができる。
なお、本発明においてキャップラバーとは、ランプハウジングの内面に固定的に設置されたリフレクタ支持柱を、直接的にリフレクタに当接せしめないように該リフレクタ支持柱の投光方向前端部に取り付けられたゴム弾性を有する部材を言い、必ずしもキャップという名の通りに冠着されているゴム製の部材とは限らず、たとえばリフレクタ支持柱の前端面に凹部が形成されていて、砲弾形のゴム製部材の後端部が上記の凹部の中に圧入されていても良い。
また、砲弾形キャップラバー６が、砲弾形に類似する形状（例えば多段形の段付き円柱状）に形成されていても同様の作用，効果が得られ、本発明の技術的範囲に属する。
【００２３】
図１ないし図３に示した実施形態に係る作業灯は、４本のリム取付ネジ２６（図２参照）を弛めて抜き取ると、（図１参照）リム２５がランプハウジング２０の前面開口部から取り外され、リムラバー２４による押圧が解除されるので、灯体部分がランプハウジング内から取り出されるので、光源バルブ４を迅速・容易に脱着して交換することができる。
光源バルブ４を交換した灯体をランプハウジング２０内に収め、前面レンズ２１のレンズ脚部２１ａにリムラバー２４を外嵌するとともに、該リムラバー２４をリム２５で押さえつけ、該リム２５をリム取付ネジ２６によってランプハウジング２０に装着すると原状に復して、
光源バルブ４を装着されたリフレクタ２２と前面レンズ２１とから成る灯体が、砲弾形キャップラバー３１とリムラバー２４とに挟まれて弾性的に支持されて防振機能が果たされる。
【００２４】
【発明の効果】
以上に本発明の実施形態を挙げてその構成・機能を明らかならしめたように、請求項１の発明方法によると、「光源バルブを装着されたリフレクタと前面レンズとから成る灯体」が、砲弾形キャップラバーとリムとによって前後方向に挟みつけられて弾性的に（弾性的変位を許容されて）支持される。
詳しくは、「レンズパッキンを介して対向している、リフレクタのフランジ状部と前面レンズのレンズ脚部」が砲弾形キャップラバーの尖端部によって投光方向前方へ押されるとともに、該前面レンズがリムラバーを介して投光方向後方へ押されて、灯体が双方のラバー部材により前後方向に挟みつけられ、弾性的に支持される。
そして、上記のリムはランプハウジングに対して着脱可能に装着されているので、該リムをランプハウジングから取り外すと、前記の灯体は挟持を解放されてランプハウジングの内部空間から取り出すことができるようになる。
灯体をランプハウジングから取り出せば、該灯体を構成しているリフレクタに対して光源バルブを脱着交換することができる。
光源バルブを交換した灯体をランプハウジング内に収めて、リムラバーを介してリムで押さえつけるとともに、該リムをランプハウジングに装着すると、前記の灯体がランプハウジングに対して弾性的に位置決め、固定される。このようにして、光源バルブの脱着・交換を迅速に、かつ容易に行なうことができる。
前記のリムラバーは、灯体を挟みつけて緩衝的に支持する部材であって、大形大重量の部材ではないから、材料コストが廉価である。
前記のリムラバーは灯体とランプハウジング用リムとの間に挟みつけられるので、風雨に曝されることも無く直射日光を受けることも無い。このため、レンズパッキンやリムラバーの経時的な劣化に関する環境条件が良く、早期劣化する虞れが無い。
前記の砲弾形キャップラバーは、従来例における有頂無底筒状のキャップラバーと異なり、尖端部をリフレクタのフランジ状部に当接せしめて押圧力を支承する。このため、ヘタリを生じない程度の硬さのゴム材料を用いても、上記の尖端部が緩衝機能を果たし得る程度に弾性変形することができ、防振性と耐久性とを両立せしめることができる。
【００２５】
【００２６】
請求項２の防振構造によると、灯体の前面側に弾性部材であるリムラバーが配設され、該灯体の背面側に弾性部材である砲弾形キャップラバーが配設されており、かつ、上記双方の弾性部材を介して、後方側は剛性部材であるリフレクタ支持柱によって支持されるとともに、前方側は剛性部材であるリムによって支持される。上述のようにして、１対の剛性部材（リフレクタ支持柱とリムと）により、それぞれ弾性部材（砲弾形キャップラバーとリムラバーと）を介して灯体が挟み付けられるので、該灯体は、弾性部材の撓みによる僅小の変位を許容して固定的に支持される。
詳しくは、「レンズパッキンを介して対向している、リフレクタのフランジ状部と前面レンズのレンズ脚部」が砲弾形キャップラバーの尖端部によって投光方向前方へ押されるとともに、リムラバーを介して投光方向後方へ押されて、双方のラバー部材によって灯体が前後方向に挟みつけられ、弾性的に支持される。
すなわち、防振性を付与して強固に支持されるので、ランプハウジングが激しく振動しても、その振動が灯体の光源バルブに伝播する途中で著しく減衰せしめる。これにより、作業灯を構成している部材のうちで最も耐振性に乏しい光源バルブが振動から保護され、優れた耐久性が得られる。
灯体は上述のように僅少の変位を許容して緩衝されているが、マクロには剛性部材であるリフレクタ支持柱とリムとによって挟持されているので、激しい振動を受けても光軸方向が変化しない。すなわち主投光方向が変化してしまう虞れが無い。
【図面の簡単な説明】
【図１】  本発明に係る作業灯の灯体防振方法を実施するために構成した灯体防振構造の１実施形態を示し、作業灯の灯体を搭載対象車両のブラケットに装着した状態を描いた垂直断面図である。
【図２】  前掲の図１に垂直断面を示した実施形態の灯体支持構造を備えた作業灯を、その投光方向前方側から見て描いた外観正面図である。ただし、特定メーカーの商標を表示した区域は網目模様を描いてある。
【図３】  前掲の図１および図２に示した実施形態に係る作業灯を投光方向の背後から見て描いた背面外観図であって、特定メーカーの商標が表されている部分は網目模様を付してある。
【図４】  前掲の図３に示した実施形態に係る作業灯の下半部について、ステーラバーを切断して描いた背面図である。
【図５】  作業用灯具の従来例を示し、光源バルブとリフレクタと前面レンズとから成る灯体部分がランプハウジングに対して弾性的に支持されている構造部分の垂直断面図である。
【符号の説明】
１…ランプハウジング、１ａ…球殻状の座、１ｂ…ボルト挿通用透孔、１ｃ…フランジ状部、２…前面レンズ、２ａ…レンズ脚部、３…リフレクタ、３ａ…フランジ状部、４…光源バルブ、５…リフレクタ支持柱、６…キャップラバー、７…マウンティングラバー、７ａ…水抜孔、８…リヤーリム、９…フロントリム、１０…ハーネス、１１…コネクタ、１２…ターミナル、１３…ステーボルト、１４…スタンドピース、１５…ナット、１６…ラバーリング、１７…リベット、２０…ランプハウジング、２０ａ…リフレクタ支持柱、２０ｂ…ブラケット、２０ｃ…ターミナルカバー、２０ｄ…カバー取付ネジ、２１…前面レンズ、２１ａ…レンズ脚部、２２…リフレクタ、２２ａ…フランジ状部、２３…レンズパッキン、２４…リムラバー、２５…ランプハウジング用のリム、２６…リム取付ネジ、２７…ステー、２８…ステーボルト、２９…ステーラバー、２９ａ…座金状部、２９ｂ…ジャバラ状部、３０…ターミナル、３１…砲弾形キャップラバー、３２…車体側ブラケット、３３…連結ボルト、３４…スプリング機構、３５…給電線。
【図１】
0004047411.tif 000002
【図２】
0004047411.tif 000003
【図３】
0004047411.tif 000004
【図４】
0004047411.tif 000005
【図５】
0004047411.tif 000006